(57)【特許請求の範囲】
【請求項１】
利用者の画像から、該利用者が書類を所持していることを検知する検知手段と、
前記検知手段によって前記利用者が書類を所持していることを検知した場合は、複数の画像処理装置を管理しているサーバから、画像読取り機能を有している画像処理装置を選出する選出手段と、
前記選出手段によって選出された画像処理装置を前記利用者に提示する提示手段
を具備することを特徴とする情報処理装置。
【請求項２】
前記利用者を特定する特定手段と、
前記特定手段によって特定された利用者による印刷指示がある場合は、複数の画像処理装置を管理しているサーバから、該印刷指示の処理性能を有する画像処理装置を選出する第２の選出手段
をさらに具備することを特徴とする請求項１に記載の情報処理装置。
【請求項３】
前記画像処理装置は、画像読取り機能と画像出力機能を有しており、
前記選出手段は、画像読取り機能を有している画像処理装置を選出する場合は、画像出力機能が利用されているが、画像読取り機能が利用されていない画像処理装置を選出の対象とすること、又は、画像出力機能を有している画像処理装置を選出する場合は、画像読取り機能が利用されているが、画像出力機能が利用されていない画像処理装置を選出の対象とする
ことを特徴とする請求項１に記載の情報処理装置。
【請求項４】
前記画像処理装置は、画像読取り機能と画像出力機能を有しており、
前記選出手段は、画像読取り機能を有している画像処理装置を選出する場合は、画像出力機能が利用されているが、画像読取り機能が利用されていない画像処理装置を選出の対象とすること、又は、画像出力機能を有している画像処理装置を選出する場合は、画像読取り機能が利用されているが、画像出力機能が利用されていない画像処理装置を選出の対象とする
ことを特徴とする請求項２に記載の情報処理装置。
【請求項５】
前記利用者が携帯型端末装置を所持している場合は、
前記特定手段は、前記携帯型端末装置から利用者を特定できる情報を受け取り、
前記選出手段によって選出された画像処理装置を、前記携帯型端末装置の表示装置に提示する第２の提示手段
をさらに具備することを特徴とする請求項２又は４に記載の情報処理装置。
【請求項６】
コンピュータを、
利用者の画像から、該利用者が書類を所持していることを検知する検知手段と、
前記検知手段によって前記利用者が書類を所持していることを検知した場合は、複数の画像処理装置を管理しているサーバから、画像読取り機能を有している画像処理装置を選出する選出手段と、
前記選出手段によって選出された画像処理装置を前記利用者に提示する提示手段
として機能させるための情報処理プログラム。
【発明の詳細な説明】
【技術分野】
【０００１】
本発明は、情報処理装置及び情報処理プログラムに関する。
【背景技術】
【０００２】
特許文献１には、情報端末のユーザにプリントジョブの印刷をするプリンタを選択させる、改良された方法を提供することを課題とし、ネットワーク上のプリンタをサーチし、前記プリンタからプリンタ特性情報を取得するために前記ネットワーク上の前記プリンタと通信するように構成されたプリンタ情報取得部と、前記プリンタの１つのユーザによる選択のために、前記プリンタから取得した前記プリンタ特性情報を単一ビューに提示するように構成されたユーザインタフェースとを有する、プリンタドライバについて開示されている。
【０００３】
特許文献２には、画像形成装置の起動を制限する環境や、画像形成装置の選択なしに印刷される環境においても、ユーザが簡単に印刷ジョブの出力先を知ることを可能とすることを課題とし、ユーザ端末が管理サーバを介して、印刷を指示するネットワーク印刷システムにおける管理サーバであって、前記ネットワーク印刷システムに含まれる複数の画像形成装置の位置情報及び機能情報を管理する管理手段と、前記ユーザ端末から前記ユーザ端末の位置情報と印刷条件とを受信する受信手段と、受信した前記ユーザ端末の位置情報と印刷条件とに応じて、前記複数の画像形成装置の中から印刷を実行する画像形成装置を選択する選択手段と、前記ユーザ端末の位置情報と、前記選択手段にて選択された画像形成装置の位置情報とから、前記ユーザ端末と前記選択された画像形成装置の位置関係を表示させるようにマップを作成する作成手段と、前記作成手段にて作成されたマップを、前記ユーザ端末に送信する送信手段とを備えることが開示されている。
【０００４】
特許文献３には、所望の印刷機に対して印刷指示を出して、すぐに出力結果を得ることができるようにすることを課題とし、クライアントデバイスから送られる印刷ジョブ及びユーザ情報を蓄積するジョブ蓄積部と、クライアントデバイスの位置情報を順次取得する位置情報取得部と、位置情報からクライアントデバイスの移動速度を算出する移動速度算出部と、地図情報を管理するインフラ管理部と、印刷機の設置場所が登録される設置場所登録部と、算出された移動速度と蓄積されている位置情報と地図情報とからクライアントデバイスの移動手段を推定する移動手段推定部と、推定された移動手段に応じて印刷機を探索する範囲を決定し、設置場所がクライアントデバイスの現在位置から当該範囲内にある印刷機を選定する送信範囲決定部と、選定された印刷機に対して印刷データを送信するジョブ管理部とを備えることが開示されている。
【先行技術文献】
【特許文献】
【０００５】
【特許文献１】特開２００７−２８０３９０号公報
【特許文献２】特開２０１３−１５６７０２号公報
【特許文献３】特開２０１３−０１２０３９号公報
【発明の概要】
【発明が解決しようとする課題】
【０００６】
ところで、画像形成装置を利用するにあたって、一般的に、ユーザ端末の位置情報と印刷条件とに応じて、複数の画像形成装置の中から印刷を実行する画像形成装置を選択して、画像形成装置までの道のりを示すマップを作成することが行われている。しかし、画像読取り機能を有している画像処理装置を提示することは行われていない。
本発明は、利用者が書類を所持している場合は、その利用者に画像読取り機能を有している画像処理装置を提示するようにした情報処理装置及び情報処理プログラムを提供することを目的としている。
【課題を解決するための手段】
【０００７】
かかる目的を達成するための本発明の要旨とするところは、次の各項の発明に存する。
請求項１の発明は、利用者の画像から、該利用者が書類を所持していることを検知する検知手段と、前記検知手段によって前記利用者が書類を所持していることを検知した場合は、複数の画像処理装置を管理しているサーバから、画像読取り機能を有している画像処理装置を選出する選出手段と、前記選出手段によって選出された画像処理装置を前記利用者に提示する提示手段を具備することを特徴とする情報処理装置である。
【０００８】
請求項２の発明は、前記利用者を特定する特定手段と、前記特定手段によって特定された利用者による印刷指示がある場合は、複数の画像処理装置を管理しているサーバから、該印刷指示の処理性能を有する画像処理装置を選出する第２の選出手段をさらに具備することを特徴とする請求項１に記載の情報処理装置である。
【０００９】
請求項３の発明は、前記画像処理装置は、画像読取り機能と画像出力機能を有しており、前記選出手段は、画像読取り機能を有している画像処理装置を選出する場合は、画像出力機能が利用されているが、画像読取り機能が利用されていない画像処理装置を選出の対象とすること、又は、画像出力機能を有している画像処理装置を選出する場合は、画像読取り機能が利用されているが、画像出力機能が利用されていない画像処理装置を選出の対象とすることを特徴とする請求項１に記載の情報処理装置である。
請求項４の発明は、前記画像処理装置は、画像読取り機能と画像出力機能を有しており、前記選出手段は、画像読取り機能を有している画像処理装置を選出する場合は、画像出力機能が利用されているが、画像読取り機能が利用されていない画像処理装置を選出の対象とすること、又は、画像出力機能を有している画像処理装置を選出する場合は、画像読取り機能が利用されているが、画像出力機能が利用されていない画像処理装置を選出の対象とすることを特徴とする請求項２に記載の情報処理装置である。
【００１０】
請求項５の発明は、前記利用者が携帯型端末装置を所持している場合は、前記特定手段は、前記携帯型端末装置から利用者を特定できる情報を受け取り、前記選出手段によって選出された画像処理装置を、前記携帯型端末装置の表示装置に提示する第２の提示手段をさらに具備することを特徴とする請求項２又は４に記載の情報処理装置である。
である。
【００１１】
請求項６の発明は、コンピュータを、利用者の画像から、該利用者が書類を所持していることを検知する検知手段と、前記検知手段によって前記利用者が書類を所持していることを検知した場合は、複数の画像処理装置を管理しているサーバから、画像読取り機能を有している画像処理装置を選出する選出手段と、前記選出手段によって選出された画像処理装置を前記利用者に提示する提示手段として機能させるための情報処理プログラムである。
【発明の効果】
【００１２】
請求項１の情報処理装置によれば、利用者が書類を所持している場合は、その利用者に画像読取り機能を有している画像処理装置を提示することできる。
【００１３】
請求項２の情報処理装置によれば、利用者による印刷指示がある場合は、その印刷指示の処理性能を有する画像処理装置を選出することができる。
【００１４】
請求項３の情報処理装置によれば、画像処理装置が画像読取り機能と画像出力機能を有している場合、画像読取り機能を利用するときは、画像出力機能が利用されていることだけで選出の対象から外すことをせず、画像出力機能を利用するときは、画像読取り機能が利用されていることだけで選出の対象から外すことをしないようにすることができる。
請求項４の情報処理装置によれば、画像処理装置が画像読取り機能と画像出力機能を有している場合、画像読取り機能を利用するときは、画像出力機能が利用されていることだけで選出の対象から外すことをせず、画像出力機能を利用するときは、画像読取り機能が利用されていることだけで選出の対象から外すことをしないようにすることができる。
【００１５】
請求項５の情報処理装置によれば、利用者が携帯型端末装置を所持している場合は、その携帯型端末装置から利用者を特定でき、選出した画像処理装置をその携帯型端末装置に提示することができる。
【００１６】
請求項６の情報処理プログラムによれば、利用者が書類を所持している場合は、その利用者に画像読取り機能を有している画像処理装置を提示することができる。
【図面の簡単な説明】
【００１７】
【図１】本実施の形態の構成例についての概念的なモジュール構成図である。
【図２】本実施の形態を利用したシステム構成例を示す説明図である。
【図３】本実施の形態による処理例を示すフローチャートである。
【図４】本実施の形態による処理例を示すフローチャートである。
【図５】本実施の形態による処理例を示すフローチャートである。
【図６】ユーザテーブルのデータ構造例を示す説明図である。
【図７】画像処理装置テーブルのデータ構造例を示す説明図である。
【図８】ジョブスケジュールテーブルのデータ構造例を示す説明図である。
【図９】本実施の形態による処理例を示す説明図である。
【図１０】本実施の形態による処理例を示す説明図である。
【図１１】優先付テーブルのデータ構造例を示す説明図である。
【図１２】本実施の形態を実現するコンピュータのハードウェア構成例を示すブロック図である。
【発明を実施するための形態】
【００１８】
以下、図面に基づき本発明を実現するにあたっての好適な一実施の形態の例を説明する。
図１は、本実施の形態の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するの意である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態に応じて、又はそれまでの状況・状態に応じて定まることの意を含めて用いる。「予め定められた値」が複数ある場合は、それぞれ異なった値であってもよいし、２以上の値（もちろんのことながら、すべての値も含む）が同じであってもよい。また、「Ａである場合、Ｂをする」という意味を有する記載は、「Ａであるか否かを判断し、Ａであると判断した場合はＢをする」の意味で用いる。ただし、Ａであるか否かの判断が不要である場合を除く。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスク、ＲＡＭ（Ｒａｎｄｏｍ  Ａｃｃｅｓｓ  Ｍｅｍｏｒｙ）、外部記憶媒体、通信回線を介した記憶装置、ＣＰＵ（Ｃｅｎｔｒａｌ  Ｐｒｏｃｅｓｓｉｎｇ  Ｕｎｉｔ）内のレジスタ等を含んでいてもよい。
【００１９】
本実施の形態である情報処理装置１００は、利用者（以下、ユーザともいう）が利用しようとしている画像処理装置を、その利用者に提示するものであって、図１の例に示すように、モバイル機器検知モジュール１１０、ユーザ特定モジュール１２０、プリントジョブ検知モジュール１３０、撮影画像受付モジュール１４０、書類検知モジュール１５０、画像処理装置選出モジュール１６０、提示モジュール１７０、画像処理装置利用検知モジュール１８０、画像処理装置スケジュール管理モジュール１９０を有している。
なお、情報処理装置１００は、図１に示すモジュール構成のほか、撮影画像受付モジュール１４０、書類検知モジュール１５０、画像処理装置選出モジュール１６０、提示モジュール１７０によって構成されていてもよい。
複数の画像処理装置が存在するオフィスビルなどで、今自分（利用者）が居る場所から、自分のジョブの特性（スキャン又はプリントのいずれであるか、処理量（書類の枚数等）、用紙のサイズ、カラー又は白黒、後処理としてのフィニッシングなど）に応じて、最も早く、又はそのジョブに適した画像処理装置を知りたい要求がある。ここで画像処理装置としては、複写機、ファックス、スキャナ、プリンタ、複合機（スキャナ、プリンタ、複写機、ファックス等のいずれか２つ以上の機能を有している画像処理装置）等がある。
【００２０】
モバイル機器検知モジュール１１０は、ユーザ特定モジュール１２０と接続されている。モバイル機器検知モジュール１１０は、利用者が所持している携帯型端末装置（以下、モバイル機器ともいう）を検知する。ここで携帯型端末装置は、その携帯型端末装置を所持している利用者の位置（携帯型端末装置の位置）を特定できるものであればよい。さらに、その利用者を特定できるものであってもよい。例えば、携帯電話（スマートフォンを含む）、ＩＣカード、ノートＰＣ等がある。また、ＧＰＳ（Ｇｌｏｂａｌ  Ｐｏｓｉｔｉｏｎｉｎｇ  Ｓｙｓｔｅｍ（汎地球測位システム））を内蔵していてもよい。位置検出として、例えば、ＧＰＳが出力する位置情報、携帯電話網に用いられている基地局の位置情報等を用いればよい。例えば、携帯型端末装置がＷｉＦｉ子機としての機能を有している場合は、ＷｉＦｉエリアに利用者が入ったときに利用者が所持する携帯型端末装置のモバイルＩＤ（ＩＤｅｎｔｉｆｉｃａｔｉｏｎ）からユーザＩＤを抽出し、ＷｉＦｉ親機の位置を用いて利用者の位置を特定すればよい。
【００２１】
ユーザ特定モジュール１２０は、モバイル機器検知モジュール１１０、プリントジョブ検知モジュール１３０と接続されている。ユーザ特定モジュール１２０は、利用者を特定する。利用者の特定は、例えば、モバイル機器検知モジュール１１０が検知した携帯型端末装置から利用者を特定できる情報を受け取ることによって行ってもよい。また、例えば、ユーザテーブル６００を用いて、利用者を特定するようにしてもよい。図６は、ユーザテーブル６００のデータ構造例を示す説明図である。ユーザテーブル６００は、ユーザＩＤ欄６１０、ユーザ名欄６２０、モバイル機器ＩＤ欄６３０を有している。ユーザＩＤ欄６１０は、本実施の形態において、ユーザを一意に識別するための情報（ユーザＩＤ）を記憶している。ユーザ名欄６２０は、そのユーザＩＤのユーザ名を記憶している。モバイル機器ＩＤ欄６３０は、そのユーザＩＤのユーザが所持している携帯型端末装置のモバイルＩＤを記憶している。
また、ユーザ特定モジュール１２０は、モバイル機器検知モジュール１１０を用いずに、撮影装置が撮影した画像から利用者の顔画像を抽出して、顔認識を行って、ユーザＩＤを抽出するようにしてもよい。撮影装置は、例えば、静止画又は動画を撮影するための２Ｄカメラ、３Ｄカメラ、サーモカメラ、全方位カメラ等である。また、撮影装置は、固定されたものであってもよいし、角度、位置等を変更することができるものであってもよい。撮影装置の設置位置は、画像処理装置が設置されている場所の近辺、画像処理装置への通路等があり、その画像処理装置に設置されていてもよい。また、フラッパーゲートといわれる入退室検知装置等によって利用者を特定してもよい。具体的には、ＩＣカードリーダー等が読み取った情報を用いればよい。
また、ユーザ特定モジュール１２０は、モバイル機器検知モジュール１１０を用いずに、撮影装置が撮影した画像から利用者を特定した場合は、その利用者の位置は、撮影装置が設置された位置に基づいて算出すればよい。例えば、撮影装置の設置位置としてもよいし、利用者の撮影画像の大きさ、位置から撮影装置との距離、方向を算出し、利用者の位置を特定するようにしてもよい。また、入退室検知装置等によって利用者を特定した場合は、その入退室検知装置等の位置から利用者の位置を特定すればよい。
なお、人感センサを設置して、その人感センサが利用者を感知したならば、撮影装置が撮影するようにしてもよい。
【００２２】
プリントジョブ検知モジュール１３０は、ユーザ特定モジュール１２０、撮影画像受付モジュール１４０、画像処理装置選出モジュール１６０と接続されている。プリントジョブ検知モジュール１３０は、ユーザ特定モジュール１２０によって特定された利用者による印刷指示（以下、プリントジョブともいう）を検知する。例えば、プリントサーバが管理しているユーザＩＤとプリントジョブの対応テーブルを用いて、対象となっているユーザＩＤに対応するプリントジョブを抽出すればよい。もちろんのことながら、そのプリントジョブには、印刷する用紙の大きさ、片面印刷か両面印刷、白黒印刷かカラー印刷等の情報が含まれている。
【００２３】
撮影画像受付モジュール１４０は、プリントジョブ検知モジュール１３０、書類検知モジュール１５０と接続されている。撮影画像受付モジュール１４０は、利用者の画像を撮影する撮影装置からの画像を受け付ける。前述した撮影装置から撮影した画像を受け付ける。
書類検知モジュール１５０は、撮影画像受付モジュール１４０、画像処理装置選出モジュール１６０と接続されている。書類検知モジュール１５０は、撮影画像受付モジュール１４０によって受け付けられた利用者の画像から、その利用者が書類を所持していることを検知する。例えば、既存技術を用いて画像から人体を抽出し、その人体の手が書類を所持しているか否かを判断すればよい。書類か否かの判断は、その物の色、大きさ（人体の顔、手等の相対的な大きさで判断すればよい）等によって行う。なお、解析に用いる画像は、１枚だけでなく、時系列で撮影された複数枚の画像を用いるようにしてもよい。
【００２４】
画像処理装置選出モジュール１６０は、プリントジョブ検知モジュール１３０、書類検知モジュール１５０、提示モジュール１７０、画像処理装置スケジュール管理モジュール１９０と接続されている。画像処理装置選出モジュール１６０は、書類検知モジュール１５０によって利用者が書類を所持していることを検知した場合は、画像読取り機能を有している画像処理装置を選出する。ここで「画像読取り機能」とは、いわゆるスキャン機能である。なお、選出する契機として、利用者が書類を所持していること、及び、利用者のつま先の向きが画像処理装置に向いていることを条件としてもよい。つま先の向きの検知は、既存の画像処理技術を用いればよい。時系列に撮影された複数の画像を用いて、予め定められた時間より長く又は以上、つま先が画像処理装置に向いていることを条件としてもよい。また、利用者が書類を所持していること、及び、その利用者が急いでいること（例えば、走っていること、一般的な速度よりも速く歩いていることを画像（複数枚の画像であってもよい）から検知した場合）を条件としてもよい。また、利用者が書類を所持していること、及び、その利用者の過去の行動パターン（例えば、その利用者がある時間帯にある場所を通行する場合は画像処理装置を用いた読み取りが行われる等のパターン）に合致している等を条件としてもよい。
また、画像処理装置選出モジュール１６０による画像処理装置の選出の条件として、「画像読取り機能を有している」ことの他に、対象としている利用者と画像処理装置との間の距離（利用者に近い画像処理装置を選出）、画像処理装置の利用状況（現在、利用されていない画像処理装置を選出）、画像処理装置のスケジュール情報（近い将来（現在から予め定められた期間）、プリントジョブ等の予約がない画像処理装置を選出）を用いてもよい。また、利用者が所持している書類がカラーである場合は、読み取り性能として、カラー読み取りが可能であることを条件としてもよい。また、利用者が所持している書類のサイズを検知した場合は、そのサイズの用紙を読み取ることができる性能を有していることを条件としてもよい。また、利用者が所持している書類の枚数を検知した（例えば、書類束の厚みを画像解析によって検知し、予め定められた紙の厚みで除算して枚数を算出する）場合は、その枚数が予め定められた枚数より多い又は以上であることを検知した場合は、読み取り速度が予め定められた値より大きい又は以上であることを条件としてもよい。また、利用者を特定し、その利用者のスケジュール情報を取得し、現在から予め定められた期間以内にイベント（会議等）がある場合は、読み取り速度が予め定められた値より大きい又は以上であることを条件としてもよい。
【００２５】
また、画像処理装置選出モジュール１６０は、ユーザ特定モジュール１２０によって特定された利用者による印刷指示がある場合は、その印刷指示の処理性能を有する画像処理装置を選出するようにしてもよい。ここで「印刷指示の処理性能」は、前述のようにプリントジョブ検知モジュール１３０によって検知されたプリントジョブに含まれている情報（印刷する用紙の大きさ、片面印刷か両面印刷等）から抽出すればよい。
さらに、画像処理装置選出モジュール１６０は、ユーザ特定モジュール１２０によって特定された利用者による印刷指示があり、その利用者が書類を所持していることを検知した場合は、画像読取り機能を有しており、その印刷指示の処理性能を有する画像処理装置を選出するようにしてもよい。
また、画像処理装置選出モジュール１６０は、ユーザ特定モジュール１２０によって特定された利用者による印刷指示が複数ある場合は、その複数の印刷指示の処理性能すべてを有する画像処理装置を選出するようにしてもよい。
【００２６】
また、画像処理装置が、画像読取り機能と画像出力機能を有している場合は以下のような処理を行ってもよい。画像処理装置選出モジュール１６０は、画像読取り機能を有している画像処理装置を選出する場合は、画像出力機能が利用されているが、画像読取り機能が利用されていない画像処理装置を選出の対象とすること、又は、画像出力機能を有している画像処理装置を選出する場合は、画像読取り機能が利用されているが、画像出力機能が利用されていない画像処理装置を選出の対象とするようにしてもよい。なお、「画像出力機能」とは、いわゆるプリントアウト機能である。
また、画像処理装置選出モジュール１６０は、利用者が利用する画像処理装置を決定した場合は、その画像処理装置がスリープ状態（節電モードの状態等）である場合は、動作可能な待機状態に移行させるように制御してもよい。また、その画像処理装置が他の利用者に利用されている場合は、対象としている利用者のジョブを予約するように制御してもよい。
【００２７】
なお、画像処理装置選出モジュール１６０は、画像処理装置を管理するサーバから、各画像処理装置の位置、性能情報（速度、サイズ、カラー、フィニッシング等）、消耗情報（用紙量、トナー量、ドラム経年等）、エラー発生状況、メンテナンス状態、顧客情報等を取得する。例えば、画像処理装置テーブル７００を取得する。図７は、画像処理装置テーブル７００のデータ構造例を示す説明図である。画像処理装置テーブル７００は、画像処理装置ＩＤ欄７１０、位置欄７２０、スペック欄７３０を有している。位置欄７２０は、緯度欄７２２、経度欄７２４、名称欄７２６を有している。画像処理装置ＩＤ欄７１０は、本実施の形態において、画像処理装置を一意に識別するための情報（画像処理装置ＩＤ）を記憶している。位置欄７２０は、その画像処理装置が設置されている位置を記憶している。緯度欄７２２は、その位置の緯度を記憶している。経度欄７２４は、その位置の経度を記憶している。名称欄７２６は、その位置の名称を記憶している。スペック欄７３０は、その画像処理装置のスペックを記憶している。この他に、消耗情報、エラー発生状況、メンテナンス状態、顧客情報等を記憶する欄を設けてもよい。図７の例では、マシン１は、２Ｆ南にあり、その性能として、スキャン：カラー可能、Ａ３、１０枚／分、プリント：カラー可能、Ａ３、３０枚／分のスペックを有していることを表しており、マシン２は、２Ｆ北にあり、その性能として、スキャン：カラー可能、Ａ４、５０枚／分、プリント：白黒、Ａ４、１００枚／分のスペックを有していることを表している。
そして、画像処理装置選出モジュール１６０は、画像処理装置の選出の際に、各画像処理装置の位置、性能情報、消耗情報、画像処理装置スケジュール管理モジュール１９０からのスケジュール情報を用いて、画像処理装置を選出するようにしてもよい。
【００２８】
提示モジュール１７０は、画像処理装置選出モジュール１６０と接続されている。提示モジュール１７０は、画像処理装置選出モジュール１６０によって選出された画像処理装置を利用者に提示する。提示は、ランプ等の光（画像処理装置に備え付けられたランプが光ることによって選出された画像処理装置であることを知らせる）、液晶ディスプレイ等の表示装置に表示すること、スピーカー、イヤホン等を介して音声を出力すること等、又はこれらの組み合わせが含まれる。また、表示装置は、利用者が携帯情報端末を所持している場合は、その携帯情報端末の表示装置を用いてもよいし、画像処理装置に備え付けられたパネル等の表示装置であってもよいし、デジタルサイネージ等の表示装置、又はこれらの組み合わせであってもよい。
さらに、画像読取り機能を有している画像処理装置を選出する場合にあって、画像出力機能が利用されているが、画像読取り機能が利用されていない画像処理装置を選出したときは、その画像処理装置の表示装置に、「今からスキャナを利用する人が来る」旨を提示させるようにしてもよい。
また、画像出力機能を有している画像処理装置を選出する場合にあって、画像読取り機能が利用されているが、画像出力機能が利用されていない画像処理装置を選出したときは、その画像処理装置の表示装置に、「今からプリンタを利用する人が来る」旨を提示させるようにしてもよい。
【００２９】
画像処理装置利用検知モジュール１８０は、画像処理装置スケジュール管理モジュール１９０と接続されている。画像処理装置利用検知モジュール１８０は、利用者によって画像処理装置が利用されたことを検知する。例えば、各画像処理装置から利用者による利用が行われたことの通知を受ければよい。また、利用者がモバイル機器を用いた画像処理装置に対する指示（予約等）を検知してもよい。また、利用者と画像処理装置との間の距離が予め定められた距離以内となったならば、利用するとみなしてもよい。利用者の位置の検知は、前述したように、モバイル機器の位置検知、撮影画像の解析等によって行えばよい。
【００３０】
画像処理装置スケジュール管理モジュール１９０は、画像処理装置選出モジュール１６０、画像処理装置利用検知モジュール１８０と接続されている。画像処理装置スケジュール管理モジュール１９０は、各画像処理装置の現在の利用状況、プリントジョブのスケジュール（各画像処理装置内のジョブスプール内にあるジョブのスケジュール、画像処理装置のスケジューラサーバが管理している情報等を含む）を管理する。例えば、ジョブスケジュールテーブル８００によって管理する。図８は、ジョブスケジュールテーブル８００のデータ構造例を示す説明図である。ジョブスケジュールテーブル８００は、画像処理装置ＩＤ欄８１０、ジョブスケジュール欄８２０を有している。画像処理装置ＩＤ欄８１０は、画像処理装置ＩＤを記憶している。ジョブスケジュール欄８２０は、その画像処理装置ＩＤの画像処理装置のジョブスケジュールを記憶している。例えば、スケジュール番号：開始時間（想定開始時間）：状態：ジョブ種類：ジョブ量：所要時間（終了時間としてもよい）をスケジュール情報として記憶している。
【００３１】
図２は、本実施の形態を利用したシステム構成例を示す説明図である。
情報処理装置１００、プリンタ２００Ａ、スキャナ２００Ｂ、複合機２００Ｃ、複合機２００Ｄ、ファックス２００Ｅ、モバイル検知装置２１０、撮影装置２４０、デジタルサイネージ２７０は、通信回線２９０を介してそれぞれ接続されている。画像処理装置として、プリンタ２００Ａ、スキャナ２００Ｂ、複合機２００Ｃ、複合機２００Ｄ、ファックス２００Ｅがある。利用者は、これらのうちいずれかの画像処理装置を利用する。モバイル検知装置２１０は利用者によって所持されており（モバイル検知装置２１０を所持していない利用者であってもよい）、撮影装置２４０は利用者を撮影する。なお、モバイル検知装置２１０、撮影装置２４０、情報処理装置１００は複数あってもよい。
【００３２】
図３は、本実施の形態による処理例を示すフローチャートである。主に、情報処理装置１００内の撮影画像受付モジュール１４０、書類検知モジュール１５０、画像処理装置選出モジュール１６０、提示モジュール１７０による処理例を示すものである。
ステップＳ３０２では、撮影装置２４０が、ユーザを撮影する。
ステップＳ３０４では、撮影画像受付モジュール１４０が、撮影された画像を受け付ける。
ステップＳ３０６では、書類検知モジュール１５０が、画像を解析し、ユーザは書類を所持しているか否かを判断する。
ステップＳ３０８では、書類検知モジュール１５０が、ステップＳ３０６の判断の結果、ユーザが書類を所持していると判断した場合はステップＳ３１０へ進み、それ以外の場合は処理を終了する（ステップＳ３９９）。
ステップＳ３１０では、画像処理装置選出モジュール１６０が、スキャン機能を有している画像処理装置を選出する。
ステップＳ３１２では、画像処理装置選出モジュール１６０が、画像処理装置の位置を取得する。
ステップＳ３１４では、画像処理装置選出モジュール１６０が、ユーザと画像処理装置との距離を算出する。
ステップＳ３１６では、画像処理装置選出モジュール１６０が、距離に応じて、画像処理装置を昇順でソートする。
ステップＳ３１８では、提示モジュール１７０が、ユーザに上位にある画像処理装置（複数であってもよい）を提示する。
【００３３】
図４は、本実施の形態による処理例を示すフローチャートである。
ステップＳ４０２では、モバイル機器検知モジュール１１０が、モバイル機器のＩＤと位置を検知する。
ステップＳ４０４では、ユーザ特定モジュール１２０が、モバイル機器のＩＤからユーザＩＤを特定する。
ステップＳ４０６では、プリントジョブ検知モジュール１３０が、ステップＳ４０４で特定されたユーザＩＤのプリントジョブを抽出する。
ステップＳ４０８では、プリントジョブ検知モジュール１３０が、プリントジョブはあるか否かを判断し、ある場合はステップＳ４２０へ進み、それ以外の場合はステップＳ４１０へ進む。
ステップＳ４１０では、撮影装置２４０が、ユーザを撮影する。
ステップＳ４１２では、撮影画像受付モジュール１４０が、撮影された画像を受け付ける。
ステップＳ４１４では、書類検知モジュール１５０が、画像を解析し、ユーザは書類を所持しているか否かを判断する。
【００３４】
ステップＳ４１６では、書類検知モジュール１５０が、ステップＳ４１４の判断の結果、ユーザが書類を所持していると判断した場合はステップＳ４１８へ進み、それ以外の場合は処理を終了する（ステップＳ４９９）。
ステップＳ４１８では、画像処理装置選出モジュール１６０が、スキャン機能を有している画像処理装置を選出する。
ステップＳ４２０では、画像処理装置選出モジュール１６０が、ステップＳ４０６で抽出されたプリントジョブの処理性能を有する画像処理装置を選出する。ここでの選出は、複数の画像処理装置であってもよい。
ステップＳ４２２では、画像処理装置選出モジュール１６０が、画像処理装置の位置を取得する。
ステップＳ４２４では、画像処理装置選出モジュール１６０が、ユーザと画像処理装置との距離を算出する。
ステップＳ４２６では、画像処理装置選出モジュール１６０が、距離に応じて、画像処理装置を昇順にソートする。
ステップＳ４２８では、提示モジュール１７０が、ユーザに上位にある画像処理装置（複数であってもよい）を提示する。
【００３５】
図５は、本実施の形態による処理例を示すフローチャートである。図４の例に示したフローチャートのステップＳ４２２〜Ｓ４２８の処理を図５の例に示すフローチャートのようにしてもよい。
ステップＳ４２２では、画像処理装置選出モジュール１６０が、画像処理装置の位置を取得する。
ステップＳ４２４では、画像処理装置選出モジュール１６０が、ユーザと画像処理装置との距離を算出する。
ステップＳ４２６では、画像処理装置選出モジュール１６０が、距離に応じて、画像処理装置を昇順にソートする。
ステップＳ４２８では、画像処理装置スケジュール管理モジュール１９０が、ステップＳ４２０で選出した画像処理装置のジョブスケジュールを取得する。
【００３６】
ステップＳ４３０では、画像処理装置選出モジュール１６０が、ユーザと画像処理装置との距離から、ユーザが画像処理装置に到達するまでの時間を算出する。例えば、予め定められた速度で歩くとした場合の時間を算出するようにしてもよいし、時系列に撮影した画像から速度を算出して、その速度を用いて算出してもよい。
ステップＳ４３２では、画像処理装置選出モジュール１６０が、ユーザが画像処理装置でジョブ（スキャンジョブ、プリントジョブ）を開始可能な時刻を算出する。画像処理装置に到達してから、予め定められた時間（スキャンの準備（書類のセット等）、プリントジョブの選択等にかかる時間）を加えた時刻とする。
【００３７】
ステップＳ４３４では、画像処理装置選出モジュール１６０が、ユーザのジョブが画像処理装置で終了する予定の時刻を算出する。ステップＳ４３２で算出した時刻に、予め定められた時間を加えた時刻としてもよいし、プリントジョブの場合、そのプリントジョブと画像処理装置の性能（印刷速度）から算出した時間としてもよいし、スキャンジョブの場合、前述のように、書類の枚数を検知し、その枚数と画像処理装置の性能（スキャン速度）から算出した時間としてもよい。
ステップＳ４３６では、画像処理装置選出モジュール１６０が、開始可能時刻と終了予定時刻に基づいて、画像処理装置（複数であってもよい）を選出する。具体的には、ステップＳ４２８で取得したジョブスケジュールから、空いている期間（利用されていない期間）を抽出し、その期間内に、ステップＳ４３２で算出した開始可能時刻とステップＳ４３４で算出した終了予定時刻が収まる画像処理装置を選出すればよい。
ステップＳ４３８では、提示モジュール１７０が、ユーザに、ステップＳ４３６で選出した画像処理装置を提示する。
【００３８】
図９は、本実施の形態による処理例を示す説明図である。複数の画像処理装置が存在するオフィスビルで、ユーザ９００（富士太郎さん）が移動した場合の例である。
ＷｉＦｉエリア９７０Ａ内には、画像処理装置９５１、画像処理装置９５２、画像処理装置９５３が設置されており、ＷｉＦｉエリア９７０Ｂ内には、画像処理装置９５３、画像処理装置９５４、画像処理装置９５５が設置されている。そして、画像処理装置９５１は、ユーザ９８１によって利用されており、画像処理装置９５５は、ユーザ９８５によって利用されている。
ユーザ９００は、モバイル装置９１０を所持して、ユーザ９００Ａ、ユーザ９００Ｂ、ユーザ９００Ｃ、ユーザ９００Ｄ、ユーザ９００Ｅの位置へ移動したとする。
ユーザ９００は、ユーザ９００Ａの位置において、「送ったジョブをプリントアウトしよう」と考え、ユーザ９００Ｂの位置へ移動する。そして、ユーザ９００Ｂの位置において、「どの画像処理装置を使ったら良いかな？」と考えていると、図１０（ａ）の例に示す画面１０００Ａをモバイル装置９１０に表示する（Ｓｔｅｐ９０２）。ＷｉＦｉエリア９７０Ａ内の最も早く済む画像処理装置をモバイル装置９１０に提示している。具体的には、以下のような表示を行う。
−−−−−  −−−−−  −−−−−
富士太郎さん
「ＵＩ特許検討．ｘｘｘ」のプリントですね？
（１）  画像処理装置９５３が一番早く終わります。（利用者の現在位置から画像処理装置９５３への道筋を地図表示する）
（２）  次は画像処理装置９５１です。現在利用中。あと１０分待ちです。
（３）  画像処理装置９５２はモノクロなので使えません。
−−−−−  −−−−−  −−−−−
なお、「ＵＩ特許検討．ｘｘｘ」はカラーの文書である。また、ユーザ９００に近い場所にある画像処理装置であって、処理性能上、利用できない場合は、その理由を提示するようにしてもよい。
そして、各プリンタの性能等について詳細を提示するようにしてもよい。例えば、画像処理装置９５３が画面上で選択された場合は、図１０（ｂ）の例に示す画面１０００Ｂをモバイル装置９１０に提示する。具体的には、以下のような表示を行う。
−−−−−  −−−−−  −−−−−
富士太郎さん
「ＵＩ特許検討．ｘｘｘ」のプリントですね？
（１）  画像処理装置９５３が一番早く終わります。（利用者の現在位置から画像処理装置９５３への道筋を地図表示する）
画像処理装置９５３の性能は、Ａ３、フルカラー、フィニッシングです。  「予約」ボタン
（２）  次は画像処理装置９５１です。
−−−−−  −−−−−  −−−−−
【００３９】
そして、ユーザ９００がユーザ９００Ｃの位置（ＷｉＦｉエリア９７０Ａ、９７０Ｂ両方が交わる領域）へ移動した場合、図１０（ｃ）の例に示す画面１０００Ｃをモバイル装置９１０に表示する（Ｓｔｅｐ９０４）。ＷｉＦｉエリア９７０Ａ、９７０Ｂ内の両方で最も早く済む画像処理装置をモバイル装置９１０に提示している。具体的には、以下のような表示を行う。
−−−−−  −−−−−  −−−−−
富士太郎さん
「ＵＩ特許検討．ｘｘｘ」のプリントですね？
（１）  画像処理装置９５３が一番早く終わります。（利用者の現在位置から画像処理装置９５３への道筋を地図表示する）
（２）  次は画像処理装置９５４です。
（３）  次は画像処理装置９５１です。
ただし、現在利用中
（４）  次は画像処理装置９５５です。
−−−−−  −−−−−  −−−−−
【００４０】
そして、ユーザ９００がユーザ９００Ｄの位置（ＷｉＦｉエリアから外れる位置）へ移動した場合、図１０（ｄ）の例に示す画面１０００Ｄをモバイル装置９１０に表示する（Ｓｔｅｐ９０６）。具体的には、以下のような表示を行う。
−−−−−  −−−−−  −−−−−
富士太郎さん
「ＵＩ特許検討．ｘｘｘ」のプリントですね？
こちらにＷｉＦｉあり（ＷｉＦｉエリアがある方向を示す矢印を表示する）
ＷｉＦｉエリアから外れています。
移動してください。
−−−−−  −−−−−  −−−−−
【００４１】
そして、ユーザ９００がユーザ９００Ｅの位置（ＷｉＦｉエリア９７０Ｂ内の領域）へ移動した場合、図１０（ｅ）の例に示す画面１０００Ｅをモバイル装置９１０に表示する（Ｓｔｅｐ９０８）。具体的には、以下のような表示を行う。
−−−−−  −−−−−  −−−−−
富士太郎さん
「ＵＩ特許検討．ｘｘｘ」のプリントですね？
（１）  画像処理装置９５４が一番早く終わります。（利用者の現在位置から画像処理装置９５４への道筋を地図表示する）
（２）  次は画像処理装置９５５です。
ただし、現在利用中。あと１０分待ちです。
（３）  次は画像処理装置９５３です。
−−−−−  −−−−−  −−−−−
【００４２】
画像処理装置選出モジュール１６０は、優先付テーブル１１００を用いて画像処理装置を選出する。図１１は、優先付テーブル１１００のデータ構造例を示す説明図である。優先付テーブル１１００は、画像処理装置ＩＤ欄１１１０、位置欄１１２０、スペック欄１１３０、ジョブスケジュール欄１１４０、ユーザ位置ｖｓ画像処理装置位置欄１１５０、ユーザのジョブｖｓスペック欄１１６０、想定開始時間〜想定終了時間欄１１７０、推奨順欄１１８０を有している。画像処理装置ＩＤ欄１１１０は、画像処理装置ＩＤを記憶している。位置欄１１２０は、その画像処理装置ＩＤの画像処理装置が設置されている位置を記憶している。スペック欄１１３０は、その画像処理装置ＩＤの画像処理装置のスペックを記憶している。ジョブスケジュール欄１１４０は、その画像処理装置ＩＤの画像処理装置のジョブスケジュールを記憶している。ユーザ位置ｖｓ画像処理装置位置欄１１５０は、ユーザの位置と画像処理装置の位置間の距離での優先順位を記憶している。ユーザのジョブｖｓスペック欄１１６０は、ユーザのジョブでの必要スペックを画像処理装置のスペックが満たしているか否かの判断結果を記憶している。想定開始時間〜想定終了時間欄１１７０は、ユーザのジョブをその画像処理装置で処理させた場合の想定開始時間と想定終了時間を記憶している。推奨順欄１１８０は、画像処理装置選出モジュール１６０による選出した画像処理装置の推奨順を記憶している。例えば、ジョブ終了順で、推奨順を決定してもよい。
図１１の例では、ユーザ「富士太郎さん」が、ジョブ「プリント、Ａ３、カラー、量：４０ページ」を有している場合を示している。この場合、マシン３を優先順位１位、マシン１を優先順位２で選出し、マシン２、マシン４は適していないことを示している。
【００４３】
また、対象とする画像処理装置が少なくともスキャン機能とプリント機能を有している複合機の場合は、スキャン機能を有している画像処理装置とプリント機能を有している画像処理装置として処理を行うようにしてもよい。この場合、他のユーザがスキャン機能を利用していたとして、プリント機能を利用できるようになり、他のユーザがプリント機能を利用していたとして、スキャン機能を利用できるようになる。
具体的には、画像処理装置毎のジョブスケジュールを管理する場合、スキャン機能、プリント機能別に、各画像処理装置の現在のジョブ、予約ジョブ（他のユーザのジョブ、予約ジョブを含む）を取得する。そして、利用されている画像処理装置のパネルにおいて、「今からプリントする人が来ます」などの表示を行うようにすればよい。
【００４４】
また、ジョブの予約をする場合は、画像処理装置毎のジョブスケジュールを収集し、モバイル機器では、ユーザの指示に応じて、画像処理装置の利用状況を表示し、予約可能な時間を表示し、予約を行わせる。ユーザは、自分が使いたい画像処理装置が使えるようになる時間に予約を入れる。そして、その予約の時間になったらユーザに音声、表示等で伝え、ジョブ開始を促す。また、予約された画像処理装置のパネルに、予約されていることを表示し、優先的に予約ユーザが使えるようにする。
【００４５】
図１２を参照して、本実施の形態の情報処理装置のハードウェア構成例について説明する。図１２に示す構成は、例えばパーソナルコンピュータ（ＰＣ）等によって構成されるものであり、スキャナ等のデータ読み取り部１２１７と、プリンタ等のデータ出力部１２１８を備えたハードウェア構成例を示している。
【００４６】
ＣＰＵ（Ｃｅｎｔｒａｌ  Ｐｒｏｃｅｓｓｉｎｇ  Ｕｎｉｔ）１２０１は、前述の実施の形態において説明した各種のモジュール、すなわち、モバイル機器検知モジュール１１０、ユーザ特定モジュール１２０、プリントジョブ検知モジュール１３０、撮影画像受付モジュール１４０、書類検知モジュール１５０、画像処理装置選出モジュール１６０、提示モジュール１７０、画像処理装置利用検知モジュール１８０、画像処理装置スケジュール管理モジュール１９０等の各モジュールの実行シーケンスを記述したコンピュータ・プログラムにしたがった処理を実行する制御部である。
【００４７】
ＲＯＭ（Ｒｅａｄ  Ｏｎｌｙ  Ｍｅｍｏｒｙ）１２０２は、ＣＰＵ１２０１が使用するプログラムや演算パラメータ等を格納する。ＲＡＭ（Ｒａｎｄｏｍ  Ａｃｃｅｓｓ  Ｍｅｍｏｒｙ）１２０３は、ＣＰＵ１２０１の実行において使用するプログラムや、その実行において適宜変化するパラメータ等を格納する。これらはＣＰＵバス等から構成されるホストバス１２０４により相互に接続されている。
【００４８】
ホストバス１２０４は、ブリッジ１２０５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バス等の外部バス１２０６に接続されている。
【００４９】
キーボード１２０８、マウス等のポインティングデバイス１２０９は、操作者により操作される入力デバイスである。ディスプレイ１２１０は、液晶表示装置又はＣＲＴ（Ｃａｔｈｏｄｅ  Ｒａｙ  Ｔｕｂｅ）等があり、各種情報をテキストやイメージ情報として表示する。
【００５０】
ＨＤＤ（Ｈａｒｄ  Ｄｉｓｋ  Ｄｒｉｖｅ）１２１１は、ハードディスクを内蔵し、ハードディスクを駆動し、ＣＰＵ１２０１によって実行するプログラムや情報を記録又は再生させる。ハードディスクには、ユーザテーブル６００、画像処理装置テーブル７００、ジョブスケジュールテーブル８００、優先付テーブル１１００、プリントジョブ等が格納される。さらに、その他の各種データ、各種コンピュータ・プログラム等が格納される。
【００５１】
ドライブ１２１２は、装着されている磁気ディスク、光ディスク、光磁気ディスク、又は半導体メモリ等のリムーバブル記録媒体１２１３に記録されているデータ又はプログラムを読み出して、そのデータ又はプログラムを、インタフェース１２０７、外部バス１２０６、ブリッジ１２０５、及びホストバス１２０４を介して接続されているＲＡＭ１２０３に供給する。リムーバブル記録媒体１２１３も、ハードディスクと同様のデータ記録領域として利用可能である。
【００５２】
接続ポート１２１４は、外部接続機器１２１５を接続するポートであり、ＵＳＢ、ＩＥＥＥ１３９４等の接続部を持つ。接続ポート１２１４は、インタフェース１２０７、及び外部バス１２０６、ブリッジ１２０５、ホストバス１２０４等を介してＣＰＵ１２０１等に接続されている。通信部１２１６は、通信回線に接続され、外部とのデータ通信処理を実行する。データ読み取り部１２１７は、例えばスキャナであり、ドキュメントの読み取り処理を実行する。データ出力部１２１８は、例えばプリンタであり、ドキュメントデータの出力処理を実行する。
【００５３】
なお、図１２に示す情報処理装置のハードウェア構成は、１つの構成例を示すものであり、本実施の形態は、図１２に示す構成に限らず、本実施の形態において説明したモジュールを実行可能な構成であればよい。例えば、一部のモジュールを専用のハードウェア（例えば特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）等）で構成してもよく、一部のモジュールは外部のシステム内にあり通信回線で接続しているような形態でもよく、さらに図１２に示すシステムが複数互いに通信回線によって接続されていて互いに協調動作するようにしてもよい。また、複写機、ファックス、スキャナ、プリンタ、複合機等に組み込まれていてもよい。
【００５４】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通等のために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ（登録商標）  Ｄｉｓｃ）、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌ）メモリーカード等が含まれる。
そして、前記のプログラム又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、又は無線通信ネットワーク、さらにこれらの組み合わせ等の伝送媒体を用いて伝送させてもよく、また、搬送波に乗せて搬送させてもよい。
さらに、前記のプログラムは、他のプログラムの一部分であってもよく、又は別個のプログラムと共に記録媒体に記録されていてもよい。また、複数の記録媒体に分割して記録されていてもよい。また、圧縮や暗号化等、復元可能であればどのような態様で記録されていてもよい。
【符号の説明】
【００５５】
１００…情報処理装置
１１０…モバイル機器検知モジュール
１２０…ユーザ特定モジュール
１３０…プリントジョブ検知モジュール
１４０…撮影画像受付モジュール
１５０…書類検知モジュール
１６０…画像処理装置選出モジュール
１７０…提示モジュール
１８０…画像処理装置利用検知モジュール
１９０…画像処理装置スケジュール管理モジュール
２００Ａ…プリンタ
２００Ｂ…スキャナ
２００Ｃ…複合機
２００Ｄ…複合機
２００Ｅ…ファックス
２１０…モバイル検知装置
２４０…撮影装置
２７０…デジタルサイネージ
２９０…通信回線
【図１】
0006600946.tif 000002
【図２】
0006600946.tif 000003
【図３】
0006600946.tif 000004
【図４】
0006600946.tif 000005
【図５】
0006600946.tif 000006
【図６】
0006600946.tif 000007
【図７】
0006600946.tif 000008
【図８】
0006600946.tif 000009
【図９】
0006600946.tif 000010
【図１０】
0006600946.tif 000011
【図１１】
0006600946.tif 000012
【図１２】
0006600946.tif 000013